(57)【要約】【課題】車両用電装機器の動作状況を車両の乗員が直観的に把握できるようにする。【解決手段】操作パネルＡ上のメインスイッチ３を起点として、その左右にそれぞれ延びるように複数のスイッチ２０〜３１を上下２列に分けて配設する。上下一組のスイッチ間に各ＬＥＤ４０が位置するように、ＬＥＤ４０，４０，…を上下のスイッチの列間に列状に配設する。メインスイッチ３の周囲にはＬＥＤ４１，４１，…を配設する。前記ＬＥＤ４０，４０，…及び４１，４１，…の点灯または消灯により、各スイッチのオン操作及び電装機器の動作状況を表示する。【選択図】      図１
2004262304.tif 000002
【特許請求の範囲】
【請求項１】
複数の電装機器の電源をオン・オフするためのメインスイッチと、該電装機器の複数の操作スイッチと、該電装機器の動作状況を表示する複数の表示器とが操作パネル上に設けられている車両用電装機器の表示装置において、
前記複数の表示器は、前記メインスイッチを起点として前記操作パネル上を少なくとも一方向に延びるように列状に配設されていることを特徴とする車両用電装機器の表示装置。
【請求項２】
請求項１の車両用電装機器の表示装置において、
複数の表示器を、電装機器の動作状況に対応して列の一方の端部から他方の端部へ向かって順に点灯させる点灯制御手段を備えることを特徴とする車両用電装機器の表示装置。
【請求項３】
請求項１または２のいずれか一つの車両用電装機器の表示装置において、
複数の表示器は、メインスイッチを起点として左右いずれか一方に並設されていることを特徴とする車両用電装機器の表示装置。
【請求項４】
請求項１〜３のいずれか一つの車両用電装機器の表示装置において、
複数の操作スイッチは、個々の表示器に対応するように該表示器の列に沿って設けられており、
点灯制御手段は、前記操作スイッチの少なくとも一つが操作されたときにその操作スイッチに隣接する表示器を作動させるように構成されていることを特徴とする車両用電装機器の表示装置。
【請求項５】
請求項４の車両用電装機器の表示装置において、
各操作スイッチは各表示器の上下に１個ずつ設けられていることを特徴とする車両用電装機器の表示装置。
【請求項６】
請求項１〜５のいずれか一つの車両用電装機器の表示装置において、
点灯制御手段は、メインスイッチがオン操作されたときに、複数の表示器を該メインスイッチに近いものから順次点灯させるように構成されていることを特徴とする車両用電装機器の表示装置。
【請求項７】
請求項１〜６のいずれか一つの車両用電装機器の表示装置において、
電装機器は、オーディオ機器であり、
点灯制御手段は、前記オーディオ機器の所定の操作スイッチが操作されたときに、複数の表示器をメインスイッチに近いものから順次点灯させるように構成されていることを特徴とする車両用電装機器の表示装置。
【請求項８】
請求項７の車両用電装機器の表示装置において、
点灯制御手段は、オーディオ機器の操作スイッチであるボリューム調整部材が操作されたときに、その操作状態に応じて表示器を作動させるように構成されていることを特徴とする車両用電装機器の表示装置。
【請求項９】
請求項８の車両用電装機器の表示装置において、
点灯制御手段は、ボリューム調整部材の所定時間内での操作量に応じて、この操作量が多いほど、多数の表示器を点灯させるように構成されていることを特徴とする車両用電装機器の表示装置。
【請求項１０】
請求項８の車両用電装機器の表示装置において、
点灯制御手段は、電装機器の動作状況により表示器を点灯させ、所定時間経過後に該表示器を消灯させるように構成されていることを特徴とする車両用電装機器の表示装置。
【請求項１１】
請求項１〜１０のいずれか一つの車両用電装機器の表示装置において、
操作パネル上には、列状に並設された表示器である第１表示器とは別に、メインスイッチに対応するように第２表示器が配設されていることを特徴とする車両用電装機器の表示装置。
【請求項１２】
請求項１１の車両用電装機器の表示装置において、
第２表示器は、メインスイッチの周囲に複数個、配置されていることを特徴とする車両用電装機器の表示装置。
【請求項１３】
請求項１２の車両用電装機器の表示装置において、
点灯制御手段は、メインスイッチがオフ操作されたときに、該メインスイッチの下方に配置された第２表示器以外の全ての表示器を消灯させるように構成されていることを特徴とする車両用電装機器の表示装置。
【発明の詳細な説明】
【０００１】
【発明の属する技術分野】
本発明は、車両用電装機器の表示装置に関し、特に、電装機器の動作状況を直観的に把握できるように、複数の表示器を点灯させる点灯制御の技術分野に属する。
【０００２】
【従来の技術】
従来より、オーディオ機器などの車両用電装機器の操作パネルにおいては、各操作スイッチ毎に照明を設けるなどして、車両の乗員から各操作スイッチを視認しやすいようにしている。例えば、特許文献１では、複数の機能が割り当てられている多機能スイッチの表示部にホログラム部材を用いて、その動作状態における多機能スイッチの機能を表示するようにしている。
【０００３】
また、特許文献２では、オーディオ装置の操作パネル周辺に設けた透光性樹脂パネルに操作パネル内部の光源から光を導くことによって、該操作パネルに設けられた操作スイッチを見やすくするとともに、光による装飾効果を得るようにしている。
【０００４】
【特許文献１】
特開平１１−２７３４８７
【特許文献２】
特開２０００−８９６９９
【０００５】
【発明が解決しようとする課題】
ところが、前記従来例のものでは、操作スイッチの視認性を高めることにより、機器の操作性を向上させるようにしているが、機器の実際の動作状況がひと目で分かるような構造になっていないため、仮に操作間違い等による機器の誤動作が生じても、車両の乗員がその操作間違いに気付くのには時間がかかり、無駄が多くなる。また、たとえ液晶画面等によりその機器の動作状況を示すことができる場合であっても、車両用の電装機器では、スペースの関係上、画面に表示できる内容が限られるため、画面の表示内容から直観的に機器の動作状況を把握できるとは言い難い。
【０００６】
本発明は、斯かる点に鑑みてなされたものであり、その目的とするところは、電装機器の操作パネルに設ける表示器の構成に工夫を凝らして、車両の乗員が電装機器の動作状況を直観的に把握できるような表示を行うことにある。
【０００７】
【課題を解決するための手段】
前記目的を達成するために、本発明の解決手段では、車両用電装機器の操作パネル上にメインスイッチを起点として少なくとも一つの任意の方向に延びるように複数の表示器を並設し、それらを電装機器の動作状況に応じて点灯させるようにした。
【０００８】
具体的には、請求項１の発明では、複数の電装機器の電源をオン・オフするためのメインスイッチと、該電装機器の複数の操作スイッチと、該電装機器の動作状況を表示する複数の表示器とが操作パネル上に設けられている車両用電装機器の表示装置において、前記複数の表示器が、前記メインスイッチを起点として前記操作パネル上を少なくとも一方向に延びるように列状に配設されている構成とする。
【０００９】
この構成によれば、電装機器の動作状況を表示するための複数の表示器を、通常、操作パネル上の目立つ位置に設けられるメインスイッチから延びるように列状に配置することにより、この表示器列によって電装機器の動作状況をひと目で視認できるようになる。したがって、操作者が意図した操作内容と電装機器の動作とが一致していることを直観的に確認することができる。
【００１０】
請求項２の発明では、点灯制御手段が、複数の表示器を電装機器の動作状況に対応して列の一方の端部から他方の端部へ向かって順に点灯させるものとする。このことにより、視覚的に電装機器の動作状況を把握することができる。
【００１１】
請求項３の発明では、複数の表示器が、メインスイッチを起点として左右いずれか一方に並設されているものとする。こうすれば、車両の乗員らが表示器の点灯を視認しやすくなるため、電装機器の動作状況を容易に把握することができる。
【００１２】
請求項４の発明では、複数の操作スイッチが、個々の表示器に対応するように該表示器の列に沿って設けられており、前記操作スイッチの少なくとも一つが操作されたときに、点灯制御手段がその操作スイッチに隣接する表示器を作動させるものとする。こうすれば、スイッチの操作を表示器の点灯により確認することが可能になり、スイッチの操作間違いによる誤動作を減少させることができる。
【００１３】
請求項５の発明では、各操作スイッチが各表示器の上下に１個ずつ設けられているものとする。このことにより、上下一対の操作スイッチに対して１個の表示器を配置すれば、請求項４の発明と同程度の作用効果が得られるため、表示器の個数を減らして、コストを削減することができる。
【００１４】
請求項６の発明では、メインスイッチがオン操作されたときに、点灯制御手段が複数の表示器を該メインスイッチに近いものから順次点灯させるものとする。こうすれば、電装機器のメインスイッチがオンになった状態を一目で確認することができる。
【００１５】
請求項７の発明では、電装機器が、オーディオ機器であり、点灯制御手段が、前記オーディオ機器の所定の操作スイッチが操作されたときに、複数の表示器を該メインスイッチに近いものから順次点灯させるものとする。こうすれば、オーディオ機器の動作状況を表示器の点灯により容易に確認することができる。
【００１６】
請求項８の発明では、オーディオ機器の所定の操作スイッチであるボリューム調整部材が操作されたときに、その操作状態に応じて点灯制御手段が表示器を作動させるものとする。このことにより、オーディオ機器のボリューム操作を表示器の点灯により直観的に確認することが可能となる。
【００１７】
請求項９の発明では、点灯制御手段が、ボリューム調整部材の所定時間内での操作量に応じて、この操作量が多いほど、多数の表示器を点灯させるものとする。こうすれば、ボリューム操作量を視覚的に確認することができる。
【００１８】
請求項１０の発明では、点灯制御手段が、電装機器の動作状況により表示器を点灯させ、所定時間経過後に該表示器を消灯させるものとする。これにより、電装機器の操作を断続して行う場合に、該電装機器の動作状況を表示器の点灯により誤認することなく、機器の現状の動作状況を正確に確認することができるようになる。
【００１９】
請求項１１の発明では、操作パネル上には、列状に並設された表示器である第１表示器とは別に、メインスイッチに対応するように第２表示器が配設されているものとする。こうすれば、暗い場合においてもメインスイッチを容易に視認することができる。
【００２０】
請求項１２の発明では、第２表示器が、メインスイッチの周囲に複数個、配置されているものとする。このことにより、メインスイッチを視認しやすくなるとともに、メインスイッチの周りに照明を配置することで光による装飾効果を高めることができる。
【００２１】
請求項１３の発明では、メインスイッチがオフ操作されたときに、点灯制御手段がメインスイッチの下方に配置された第２表示器以外の全ての表示器を消灯させるものとする。こうすれば、少ない消費電力でメインスイッチを照らすことができるため、バッテリーへの負荷を軽減することができる。また、車両の乗員から直接、表示器の光が見えないため、乗員の運転の邪魔にならない。
【００２２】
【発明の実施の形態】
以下、本発明の実施形態を図面に基いて説明する。
【００２３】
（オーディオ機器の操作パネルの構成）
図１は、本発明に係る車両用電装機器である複数のオーディオ機器の操作パネルＡの一例を示し、この複数のオーディオ機器は、コンパクトディスクを再生するデッキやラジオチューナー等からなり、その操作パネルは該各機器を制御するためのものである。すなわち、前記操作パネルＡの概略構成は、図示の如く、各オーディオ機器毎の機能に切り替えるためのモード切替部１と、各オーディオ機器の操作を行うための操作部２と、オーディオ機器全体の電源をオン・オフするメインスイッチ及びボリュームコントロールの機能を併せ持つメインスイッチ３（ボリューム調整部材）と、各オーディオ機器における動作を表示する表示部４と、音質等を調整するためのオーディオコントロールスイッチ５と、ラジオの受信周波数の微調整等をおこなうための調整スイッチ６と、コンパクトディスクの挿入口が設けられたコンパクトディスクデッキ部７とにより表される。また、操作パネルＡのＩＩ−ＩＩ線及びＩＩＩ−ＩＩＩ線の断面をそれぞれ図２及び図３に示すように、操作パネルＡは、モード切替部１と操作部２との間が上側パネル８により、また、操作部２の下側が下側パネル９によりそれぞれ覆われている。
【００２４】
前記モード切替部１は、コンパクトディスク、ラジオ等の機能をスイッチ操作により切り替えるためのものである。詳しくは、モード切替部１には、オーディオ機器の操作パネルＡとは別に設けられた図示しないディスプレイに時刻表示をおこなう時刻表示スイッチ１０と、時刻等の設定をおこなう設定スイッチ１１と、ラジオのＦＭ放送を受信するＦＭラジオモードスイッチ１２と、ラジオのＡＭ放送を受信するＡＭラジオモードスイッチ１３と、コンパクトディスクデッキ６を動作させるコンパクトディスクモードスイッチ１４と、図示しないが、カセットテープ（またはミニディスク）デッキを追加した場合に、これを動作させるカセットテープモード（またはミニディスクモード）スイッチ１５とが列状に配設されている。前記各モードスイッチ１２〜１５により各機能に切り替えられた場合には、後述するように、前記操作部２のスイッチの一部がその機能毎に異なる役割を果たすようになる。
【００２５】
前記操作部２には、各オーディオ機器の操作をおこなうスイッチがメインスイッチ３を挟んで、その左右においてそれぞれ上下２列に分かれて配設されている。詳しくは、ラジオモードにおいて受信局を選曲するためのスイッチ２０〜２５と、ミニディスクまたはコンパクトディスクモードにおいてリピート再生・ランダム再生・プログラム再生をそれぞれおこなうためのスイッチ２６，２９，３０と、交通情報を受信するためのスイッチ２７と、ラジオモードにおいて受信周波数の検索をおこなうためのスイッチ２８，３１とが配設されている。
【００２６】
なお、前記スイッチ２４及び２５は、カセットテープモード等における早送り又は巻き戻しのためのスイッチとしても用いられる多機能操作スイッチであり、同様に、前記スイッチ２８及び３１はミニディスク又はコンパクトディスクモードにおいて、選曲をおこなうためのスイッチとしても用いられる。また、オーディオ機器にコンパクトディスクチェンジャーが搭載されている場合には、前記スイッチ２０及び２３は再生するコンパクトディスクを切り替えるためのスイッチとしても用いられる。
【００２７】
前記メインスイッチ３は、押すことによりオーディオ機器の主電源をオン・オフするとともに、回転することによりボリュームコントロールもおこなうことができる円筒状のスイッチであり、図２に示すように、操作パネル内部側には電子ボリューム３５が接続されている。ボリュームコントロールは、該電子ボリューム３５によって、メインスイッチ３の所定の回転角度（メインスイッチ３が所定の角度を回転した場合を１クリックと呼ぶ）を電気信号に変換することにより行われる。なお、メインスイッチ３は円筒状に限らず、多角形の筒であってもよい。
【００２８】
前記表示部４は、各オーディオ機器の動作状況をＬＥＤ（発光ダイオード）の点灯または消灯により表示するものであり、詳しくは、前記スイッチ２０〜３１のうち、上下に対をなす各１個ずつに１個のＬＥＤが対応するように、その上下のスイッチの間に列状に配設された６個のＬＥＤ４０，４０，…（第１表示器）と、前記メインスイッチ３の周囲に均等に配設された４個のＬＥＤ４１，４１，…（第２表示器）と、図２および図３にも示すように、該ＬＥＤ４０，４０，…及び４１，４１，…の操作パネル前面側にそれぞれ配設され、ＬＥＤの光をぼかすように透過させる透光性樹脂材料からなる導光板４２，４３とにより構成される。なお、本実施形態では、図１に示すように、メインスイッチ３の両隣にある４個のパネル５０，５０，…は、スイッチではないが、これらのパネル５０，５０，…の上下間にもＬＥＤ４０，４０をそれぞれ１個ずつ配設する。また、ＬＥＤ４０，４０，…及び４１，４１，…は、図２および図３に示すように、操作パネル内部の基板４５上に設けられている。
【００２９】
前記ＬＥＤ４０，４０，…は、上下どちらか一方のスイッチがオン操作された場合には、それらのスイッチ間に配設されたＬＥＤ４０，４０，…が点灯するとともに、詳しくは後述するが、例えばオーディオ機器の主電源がオン・オフ操作された場合やボリュームコントロールが行われた場合などにおいて、その動作状況を点灯または消灯するようになっている。また、前記ＬＥＤ４１，４１，…は、メインスイッチ３を照らすことにより、光による装飾効果を高めることができる。
【００３０】
なお、ＬＥＤ４０，４０，…は、単色や光量一定のものがコストの面から好ましいが、上下のスイッチ操作を識別できるように、多色のものを採用してもよいし、光量を変えるようにしてもよい。また、コストの面から上下一組のスイッチに１個のＬＥＤを対応させたものが好ましいが、上下のスイッチにそれぞれ別のＬＥＤを設けるようにしてもよい。さらに、ＬＥＤの数は、メインスイッチ３を挟んで左右同数でなくてもよいし、４個ずつでなくてもよい。
【００３１】
（動作状況表示の制御）
前記表示部４のＬＥＤ４０，４０，…または４１，４１，…による各オーディオ機器の動作状況の表示について以下に詳しく説明する。表示部４は、図４に示すように、前記スイッチ２０〜３１またはメインスイッチ３から入力された信号により、コントローラ４０（点灯制御手段）がＬＥＤ４０，４０，…または４１，４１，…をそれぞれ点灯させることによって、各スイッチの操作状況や各機器の動作状況を表示する。
【００３２】
以下に表示部４による動作状況の表示について具体的に説明する。表示部４は、例えば、オーディオ機器の主電源をオンまたはオフにした場合や、ボリュームコントロール、ラジオの受信周波数検索等の各操作を行った場合に、それぞれ図５〜１０に示すような表示をおこなう。
【００３３】
図５は、オーディオ機器の主電源をオンにした場合の表示部４の表示の変化を示したものである。オーディオ機器の電源をオンにすると、（ａ）のようにメインスイッチ３の周囲に配設された４個のＬＥＤ４１，４１，…が点灯し、所定時間の間、徐々に光量を増す（フェードイン）。そして、（ｂ）に示すように、メインスイッチ３に最も近いところに配設された左右両側のＬＥＤ４０，４０が点灯する。続いて、（ｃ）に示すように、メインスイッチ３に最も近いところに配設されたＬＥＤ４０，４０が消灯するとともに、その隣に配設されたＬＥＤ４０，４０が点灯する、というようにして、（ｂ）〜（ｅ）に示すように、メインスイッチ３の左右に並んだＬＥＤ４０，４０，…がメインスイッチ３側から外側に向かって１個ずつ順番に点灯する。このことにより、オーディオ機器の主電源をオンにする操作を行ったことが一目で分かるようになる。なお、図５に示す表示部４の表示の変化は、オーディオ機器のメインスイッチ３をオン操作した場合に限らず、イグニッションをオンにした場合にも適用することができる。
【００３４】
図６は、オーディオ機器の主電源をオフにした場合の表示部４の表示の変化を示したものである。オーディオ機器の主電源をオフにすると、まず、（ａ）に示すように、メインスイッチ３の左右に配設された各ＬＥＤ４０，４０，…のうち、最も外側に配設されたＬＥＤ４０，４０が点灯し、その後、該ＬＥＤ４０，４０が消灯するとともにそれらの隣に配設されたＬＥＤ４０，４０が点灯する。このようにして、（ａ）〜（ｄ）に示すように、メインスイッチ３の左右に配設された各ＬＥＤ４０，４０，…が外側からメインスイッチ３側に向かって順番に１個ずつ点灯する。そして、（ｄ）のようにメインスイッチ３の周囲に配設された４個のＬＥＤ４１，４１，…のうちメインスイッチ３の下方に配設されたＬＥＤ４１以外の３個のＬＥＤ４１，４１，４１は徐々に光量を減らし消灯する（フェードアウト）。この時、メインスイッチ３の下方に配設されたＬＥＤ４１は通常点灯時の略３０％の明るさまで減光する。
【００３５】
前記のような表示の変化により、オーディオ機器の主電源をオフにする操作を行ったことが直観的に把握できる。また、メインスイッチ３の下方のＬＥＤ４１のみを減光して点灯させることにより、周りが暗い状態でも、バッテリーへの負荷が少ない最小の消費電力で該メインスイッチ３を照らすことができる。しかも、ＬＥＤの光が直接、車両の乗員の視界に入らないので、運転の邪魔になることもない。
【００３６】
なお、ＬＥＤ４１，４１，…のフェードイン（図５（ａ））及びフェードアウト（図６（ｅ））の表示は略１秒で完了し、ＬＥＤ４０，４０，…が順番に点灯する表示（図５（ｂ）〜（ｅ）または図６（ａ）〜（ｄ））も、それぞれ略１秒で完了するのが好ましい。また、ＬＥＤ４１，４１，…はメインスイッチ３の周囲に配置することが好ましいが、この限りではなく、メインスイッチ３にＬＥＤ４１，４１，…を配設するようにしてもよい。さらに、オーディオ機器の主電源がオフのときには、メインスイッチ３の下方に配設されたＬＥＤ４１の光量は通常点灯時の略３０％とするのが好ましいが、この限りではない。
【００３７】
図７および図８は、ボリュームコントロールをした場合の表示部４の表示の変化を示したものである。ボリュームコントロールは、前述したとおり、メインスイッチ３の回転角度（所定の角度を１クリックと呼ぶ）が電子ボリューム３５によって電気信号に変換され、オーディオ機器に入力されることにより行われるため、表示部４はその入力値に基づいて表示を変化させる。
【００３８】
具体的には、図７に示すように、所定時間内に１クリック分のボリュームを増大させた場合（ａ）には、メインスイッチ３の右側に配設されたＬＥＤ４０が点灯し、２クリック分のボリュームを増大させた場合（ｂ）には、メインスイッチ３の右側から１個目及び２個目のＬＥＤ４０，４０が点灯する。このようにして、ボリュームを増大させた場合には、その変化分がメインスイッチ３の右側に４個配設されたＬＥＤ４０，４０，…の点灯状態によって表現される。
【００３９】
図８はボリューム減少を表示した場合であり、その変化分はメインスイッチ３の左側に配設されたＬＥＤ４０，４０，…の点灯状態によって表現される。点灯するＬＥＤ４０，４０，…がメインスイッチ３の左側になる以外は、上述のボリューム増大の場合と同じ表示方法である。
【００４０】
なお、ボリューム増大および減少のいずれの場合においても、所定時間内に４クリック分のボリューム変化をさせた場合には、ＬＥＤ４０，４０，…がすべて点灯するため、所定時間内に５クリック分の操作を行った場合には、ＬＥＤ４０，４０，…を一旦、すべて消灯する。６クリック分以上の操作を行った場合には、上述の１〜４クリック分のボリューム変化の場合と同じ表示（図７または図８参照）を繰り返すようにしている。
【００４１】
このことにより、車両の乗員はＬＥＤが点灯する方向によってボリュームの増減を識別することができるとともに、ボリューム操作量についてもそのＬＥＤの点灯状態によって容易に判断することができるため、ボリュームコントロールが的確に行われているかどうかを直観的に確認することができる。
【００４２】
図９および図１０に、ラジオモードで受信周波数の検索状況をしている場合の表示部４の表示の変化を示す。ラジオモードでは、スイッチ操作により自動的に受信周波数を検索する機能が設けられており、その検索状況が表示部４により表示されるようになっている。詳しくは、図９に示すように、現在受信している周波数よりも高い周波数域で受信可能な周波数を検索している場合には、メインスイッチ３の右側に配設されたＬＥＤ４０，４０，…がメインスイッチ３側から外側に向かって順に１個ずつ点灯していく。逆に、現在の周波数よりも低い周波数域で検索している場合には、図１０に示すように、メインスイッチ３の左側に配設されたＬＥＤ４０，４０，…がメインスイッチ３側から外側に向かって順に１個ずつ点灯する。なお、受信可能な周波数を検索する操作は、検索が完了するまで続けられるため、その間は表示部４による上記の表示が繰り返しおこなわれる。
【００４３】
これにより、ラジオでの受信周波数検索の状況を直観的に把握することができるため、誤操作等による無駄を少なくすることができる。
【００４４】
なお、図９及び図１０のような表示はラジオモードにおける周波数検索の場合に限らず、カセットテープやコンパクトディスクの各モードにおける早送り・巻き戻し・選曲時などの各動作にも行うことができる。
【００４５】
また、各機器の動作状況や、各スイッチのオン操作を上述のとおり表示部４に表示する場合には、その表示は操作から所定時間経過後に自動的に終了するため、断続して操作を行う場合などにおいて、表示部４の表示による機器の動作状況の誤認を減少させることができる。
【００４６】
以上より、この実施形態では、メインスイッチ３から左右に延びるように列状にＬＥＤ４０，４０，…を配設し、各機器の動作状況に応じて該ＬＥＤ４０，４０，…を点灯又は消灯させることにより各機器の動作状況を表示するようにしたため、車両の乗員等が直観的に該機器の動作状況を確認することができる。
【００４７】
（他の実施形態）
尚、本発明は前記実施形態に限定されるものではなく、その他の種々の実施形態を包含するものである。すなわち、前記実施形態では、本発明を車両用電装機器の一つであるオーディオ機器に適用しているが、これに限らず、例えば車両用エアコンなどに用いてもよい。
【００４８】
前記実施形態では、オーディオ機器の主電源をオン・オフするメインスイッチ３によりボリュームコントロールも行えるようにしているが、これに限らず、例えばボリュームコントロールとメインスイッチとを別に設けるなどのようにしてもよい。
【００４９】
また、前記実施形態では、操作部２の各スイッチをメインスイッチ３の左右に並設し、ＬＥＤを対応させるようにしているが、これに限らず、例えば操作部２の各スイッチをメインスイッチ３の上下に並設し、各スイッチにＬＥＤを対応させるようにしてもよい。
【００５０】
さらに、前記実施形態では、表示部４の発光体としてＬＥＤ（発光ダイオード）を用いるようにしているが、これに限らず、発光状態を電気的に制御できるものであれば何を用いてもよい。
【００５１】
【発明の効果】
以上説明したように、請求項１の発明に係る車両用電装機器の表示装置によると、メインスイッチから延びるように列状に配置した複数の表示器により電装機器の動作状況を表示するようにしたため、該電装機器の動作状況を直観的に把握することができる。
【００５２】
請求項２記載の発明によると、電装機器の動作状況に応じて表示器列の一方の端部から他方へ向かって順に点灯させるようにしたため、視覚的に電装機器の動作状況を確認しやすくなる。
【００５３】
請求項３記載の発明によると、表示器はメインスイッチを起点として左右方向のいずれか一方に並設されているため、車両の乗員から表示器の点灯状態を確認しやすくなり、電装機器の動作状況を容易に把握することができる。
【００５４】
請求項４記載の発明によると、個々の操作スイッチに対応するように表示器を配置したため、各スイッチの操作を表示器の点灯により確認することができ、スイッチの操作間違いを減少させることができる。
【００５５】
請求項５記載の発明によると、各操作スイッチが各表示器の上下に１個ずつ設けられるため、最低限の光源の数で請求項４の発明の効果を実現できる。
【００５６】
請求項６記載の発明によると、メインスイッチがオン操作されたときに、該メインスイッチに近い表示器から順に点灯させるようにしたため、電装機器のメインスイッチがオンになった状態を一目で確認することができる。
【００５７】
請求項７記載の発明によると、オーディオ機器の動作状況を直観的に確認することができる。
【００５８】
請求項８及び請求項９記載の発明によると、オーディオ機器のボリューム調整状態を一目で確認することができる。
【００５９】
請求項１０記載の発明によると、電装機器のスイッチ操作を断続して行う場合にも、表示器の点灯による電装機器の動作状況の誤認を防ぐことができ、正確に動作状況を把握することができる。
【００６０】
請求項１１記載の発明によると、メインスイッチに対応するように配設した第２表示器により、暗いところでもメインスイッチを容易に確認することができる。
【００６１】
請求項１２記載の発明によると、第２表示器をメインスイッチの周囲に複数個、配置したため、請求項１１記載の発明の効果が得られるうえ、光による装飾効果も得ることができる。
【００６２】
請求項１３記載の発明によると、メインスイッチがオフのときに、該メインスイッチを最小限の電力消費で照明することができるため、バッテリーへの負荷を軽減することができるとともに、その照明の光が乗員の運転等の邪魔をしない。
【図面の簡単な説明】
【図１】本発明の実施形態に係るオーディオ機器の操作パネルＡの構成を示す正面図である。
【図２】図１記載のＩＩ−ＩＩ線における断面図である。
【図３】図１記載のＩＩＩ−ＩＩＩ線における断面図である。
【図４】各操作スイッチからの信号によりＬＥＤを点灯させる点灯制御回路のブロック図である。
【図５】メインスイッチがオン操作された場合の表示部４の表示を示す模式図である。
【図６】メインスイッチがオフ操作された場合の図５相当図である。
【図７】ボリュームを増大させた場合の図５相当図である。
【図８】ボリュームを減少させた場合の図５相当図である。
【図９】ラジオモードにおいて現在の受信周波数よりも大きい周波数域で検索している場合の図５相当図である。
【図１０】ラジオモードにおいて現在の受信周波数よりも小さい周波数域で検索している場合の図５相当図である。
【符号の説明】
Ａ          オーディオ機器の操作パネル（操作パネル）
１          モード切替部
２          操作部
３          メインスイッチ（ボリューム調整部材）
４          表示部
２０〜３１  スイッチ（操作スイッチ）
４０        ＬＥＤ（表示器）
４１        ＬＥＤ（第２表示器）
５０        コントローラ（点灯制御手段）
【図１】
2004262304.tif 000003
【図２】
2004262304.tif 000004
【図３】
2004262304.tif 000005
【図４】
2004262304.tif 000006
【図５】
2004262304.tif 000007
【図６】
2004262304.tif 000008
【図７】
2004262304.tif 000009
【図８】
2004262304.tif 000010
【図９】
2004262304.tif 000011
【図１０】
2004262304.tif 000012